(57)【要約】【課題】設置環境に応じて適切な商品を提供する。【解決手段】商品格納部１は、複数の種類の商品を格納し、商品表示部２は、商品格納部１が格納する商品のうち一部の種類の商品を表示する。また、ルール記憶部９は、商品表示部２による表示を変更する変更条件と、当該変更条件が満たされた場合に商品表示部２が表示する商品情報とを関連付けて記憶する。また、切替部１０は、ルール記憶部９が記憶する変更条件を満たす場合に、商品表示部２が表示する商品を変更条件に関連付けられた商品情報に変更し、払い出し部は、商品表示部２が表示する商品を、ユーザの操作に応じて商品格納部１から払い出す。【選択図】図１
2011145936.tif 000002
【特許請求の範囲】
【請求項１】
複数の種類の商品を格納する商品格納部と、
前記商品格納部が格納する商品のうち一部の種類の商品を表示する商品表示部と、
前記商品表示部による表示を変更する変更条件と、当該変更条件が満たされた場合に商品表示部が表示する商品情報とを関連付けて記憶する記憶部と、
前記記憶部が記憶する変更条件を満たす場合に、前記商品表示部が表示する商品を前記変更条件に関連付けられた商品情報に変更する変更部と、
前記商品表示部が表示する商品を、ユーザの操作に応じて前記商品格納部から払い出す払い出し部と、
を備えることを特徴とする自動販売機。
【請求項２】
自装置の周囲の環境における物理量を計測し、当該物理量を示す環境情報を出力する計測部を備え、
前記変更部は、前記記憶部が記憶する変更条件を前記環境情報が満たす場合に、前記商品表示部が表示する商品を前記変更条件に関連付けられた商品情報に変更する
ことを特徴とする請求項１に記載の自動販売機。
【請求項３】
前記商品表示部は、商品サンプルを表示する複数の表示ユニットを備え、
前記表示ユニットは、鉛直軸周りに回転自在に支持された回転台と、
前記回転台の上面から鉛直方向に突出するように設けられ、前記回転台の上部を利用者の可視範囲である表面と利用者の不可視範囲である背面とに２分することが可能な仕切り板と、
前記仕切り板によって２分された前記回転台の上部のそれぞれの区画に１つずつ設けられた種類の異なる商品サンプルと、
前記回転台の下方に設けられ、前記回転台を回転させることで当該回転台に設けられた前記商品サンプルの位置を入れ替えるモータと、
を備えることを特徴とする請求項１または請求項２に記載の自動販売機。
【請求項４】
自動販売機を用いた販売方法であって、
商品格納部は、複数の種類の商品を格納し、
商品表示部は、前記商品格納部が格納する商品のうち一部の種類の商品を表示し、
記憶部は、前記商品表示部による表示を変更する変更条件と、当該変更条件が満たされた場合に商品表示部が表示する商品情報とを関連付けて記憶し、
変更部は、前記記憶部が記憶する変更条件を満たす場合に、前記商品表示部が表示する商品を前記変更条件に関連付けられた商品情報に変更し、
払い出し部は、前記商品表示部が表示する商品を、ユーザの操作に応じて前記商品格納部から払い出す、
ことを特徴とする販売方法。
【請求項５】
複数の種類の商品を格納する商品格納部を備える自動販売機を、
前記商品格納部が格納する商品のうち一部の種類の商品を表示する商品表示部、
前記商品表示部による表示を変更する変更条件と、当該変更条件が満たされた場合に商品表示部が表示する商品情報とを関連付けて記憶する記憶部、
前記記憶部が記憶する変更条件を満たす場合に、前記商品表示部が表示する商品を前記変更条件に関連付けられた商品情報に変更する変更部、
前記商品表示部が表示する商品を、ユーザの操作に応じて前記商品格納部から払い出す払い出し部、
として機能させるためのプログラム。
【発明の詳細な説明】
【技術分野】
【０００１】
本発明は、自動販売機、販売方法及びプログラムに関する。
【背景技術】
【０００２】
自動販売機による商品の購買を促進する手段として、特許文献１には、設置環境などに応じて種々のメッセージを表示する技術が開示されている。また、特許文献２には、周囲環境に応じて、例えば降雨を検知すると、自動的に雨よけの屋根がせり出すよう利用者の快適性を保つ技術が開示されている。
【０００３】
また、特許文献３には、商品の販売個数から売り切れる可能性の高い商品の入れ替え指示をする技術が開示されている。また、特許文献４には、販売環境に応じた商品の販売適温を示すデータベースを有することで、商品の温度を好適に変更し、それぞれの個数を調整する技術が開示されている。
【先行技術文献】
【特許文献】
【０００４】
【特許文献１】特開２００４−２０６３９６号公報
【特許文献２】特開平０９−０１６８４１号公報
【特許文献３】特開２００１−０１４５１８号公報
【特許文献４】特開２００２−０７４４９０号公報
【発明の概要】
【発明が解決しようとする課題】
【０００５】
しかしながら、特許文献１〜特許文献４に記載の技術を用いた自動販売機は、実際に利用者が購買できる商品は陳列棚に陳列されているものに限定されるため、必ずしも利用者に対して適切な商品を提供できるとは限らないという問題がある。
本発明は、上記の問題に鑑みてなされたものであり、設置環境に応じて適切な商品を提供する自動販売機、販売方法及びプログラムを提供することを課題とする。
【課題を解決するための手段】
【０００６】
本発明は上記の課題を解決するためになされたものであり、複数の種類の商品を格納する商品格納部と、前記商品格納部が格納する商品のうち一部の種類の商品を表示する商品表示部と、前記商品表示部による表示を変更する変更条件と、当該変更条件が満たされた場合に商品表示部が表示する商品情報とを関連付けて記憶する記憶部と、前記記憶部が記憶する変更条件を満たす場合に、前記商品表示部が表示する商品を前記変更条件に関連付けられた商品情報に変更する変更部と、前記商品表示部が表示する商品を、ユーザの操作に応じて前記商品格納部から払い出す払い出し部と、を備えることを特徴とする。
【０００７】
また、本発明は、自動販売機を用いた販売方法であって、商品格納部は、複数の種類の商品を格納し、商品表示部は、前記商品格納部が格納する商品のうち一部の種類の商品を表示し、記憶部は、前記商品表示部による表示を変更する変更条件と、当該変更条件が満たされた場合に商品表示部が表示する商品情報とを関連付けて記憶し、変更部は、前記記憶部が記憶する変更条件を満たす場合に、前記商品表示部が表示する商品を前記変更条件に関連付けられた商品情報に変更し、払い出し部は、前記商品表示部が表示する商品を、ユーザの操作に応じて前記商品格納部から払い出す、ことを特徴とする。
【０００８】
また、本発明は、複数の種類の商品を格納する商品格納部を備える自動販売機を、前記商品格納部が格納する商品のうち一部の種類の商品を表示する商品表示部、前記商品表示部による表示を変更する変更条件と、当該変更条件が満たされた場合に商品表示部が表示する商品情報とを関連付けて記憶する記憶部、前記記憶部が記憶する変更条件を満たす場合に、前記商品表示部が表示する商品を前記変更条件に関連付けられた商品情報に変更する変更部、前記商品表示部が表示する商品を、ユーザの操作に応じて前記商品格納部から払い出す払い出し部、として機能させるためのプログラムである。
【発明の効果】
【０００９】
本発明によれば、記憶部が記憶する変更条件に基づいて、変更部が商品表示部に表示させる商品情報を変更する。これにより、自動販売機は、設置環境に応じて適切な商品を提供することができる。
【図面の簡単な説明】
【００１０】
【図１】本発明の一実施形態による自動販売機の構成を示す概略ブロック図である。
【図２】商品表示部の構造を示す図である。
【図３】商品情報記憶部が記憶する情報を示す図である。
【図４】ルール記憶部が記憶する情報を示す図である。
【図５】履歴記憶部が記憶する情報を示す図である。
【図６】自動販売機の動作を示すフローチャートである。
【発明を実施するための形態】
【００１１】
以下、図面を参照しながら本発明の実施形態について詳しく説明する。
図１は、本発明の一実施形態による自動販売機の構成を示す概略ブロック図である。
自動販売機は、商品格納部１、商品表示部２、商品情報記憶部３、商品選択部４、決済部５、払い出し部６、タイマ部７（計測部）、計測部８、ルール記憶部９（記憶部）、切替部１０（変更部）、履歴登録部１１、履歴記憶部１２を備える。
商品格納部１は、複数の格納ユニット（図示せず）を備え、当該格納ユニットのそれぞれに異なる種類の商品を格納する。
商品表示部２は、自動販売機の表示窓に、商品格納部１が格納する商品のうち一部の種類の商品サンプルを表示する。
商品情報記憶部３は、商品格納部１に格納された複数の種類の商品の商品情報を記憶する。
商品選択部４は、利用者から商品表示部２に表示された商品の選択操作を受け付ける。
決済部５は、利用者から貨幣または紙幣を受け付け、商品価格に応じた釣銭を支払う。
払い出し部６は、利用者が商品選択部４を介して選択した商品を商品格納部１から取り出し、利用者に払い出す。
タイマ部７は、現在の時刻を計測する。
計測部８は、自動販売機周囲の環境情報（例えば、温度、湿度、降雨の有無など）を計測する。
ルール記憶部９は、商品表示部２による表示を変更する変更条件と、当該変更条件が満たされた場合に商品表示部２が表示する商品を特定する識別情報とを関連付けて記憶する。
切替部１０は、タイマ部７及び計測部８から出力された情報が、ルール記憶部９が記憶する変更条件を満たすか否かを判定し、変更条件を満たす場合、商品表示部２に当該変更条件に関連付けられた識別情報が示す商品を表示させる。
履歴登録部１１は、利用者による購買履歴を履歴記憶部１２に登録する。
履歴記憶部１２は、利用者による購買履歴を記憶する。
【００１２】
図２は、商品表示部の構造を示す図である。
商品表示部２は、商品サンプルを表示する表示ユニットを複数備える。
図２に示すように、表示ユニットは、鉛直軸周りに回転自在に支持された回転台を備える。また、表示ユニットは、当該回転台の上面から鉛直方向に突出するように設けられ、回転台の上部を、利用者の可視範囲である表面と利用者の不可視範囲である背面とに２分することが可能な仕切り板を備える。また、表示ユニットは、仕切り板によって２分された回転台の上部のそれぞれの区画に１つずつ設けられた種類の異なる商品サンプルを備える。また、表示ユニットは、回転台の下方に設けられ、回転台を回転させることで回転台に設けられた商品サンプルの位置を可視範囲である表面と不可視範囲である背面とに入れ替えるモータを備える。
これにより、表示ユニットは、モータを駆動させることで、利用者に表示させる商品サンプルを切り替えることができる。
【００１３】
図３は、商品情報記憶部が記憶する情報を示す図である。
商品情報記憶部３は、商品表示部２の表示ユニットを特定するユニットＩＤと、当該表示ユニットの表裏を特定する表裏フラグと、当該表示ユニットが表示する商品サンプルの商品名とを関連付けて記憶する。なお、商品情報記憶部３において、ユニットＩＤと表裏フラグとの組み合わせは一意となる。
【００１４】
図４は、ルール記憶部が記憶する情報を示す図である。
ルール記憶部９は、商品表示部２による商品の表示を切り替えるか否かを判定する表示条件と、当該表示条件を満たす場合に商品表示部２に表示させる商品の商品名と、表示条件の優先順位とを関連付けて記憶する。
【００１５】
図５は、履歴記憶部が記憶する情報を示す図である。
履歴記憶部１２は、期間、表示ユニット、温度、湿度、降雨、商品名、販売履歴を関連付けて記憶する。期間は、商品表示部２のある表示ユニットにおいて同一の商品を販売した期間を示す。温度、湿度、及び降雨は、前記期間の間の温度、湿度、及び降雨の有無を示す。商品名は、表示ユニットの表面に配置された商品の商品名を示す。販売履歴は、表示ユニットが表示する商品の前記期間における販売個数を示す。
【００１６】
そして、上述した構成を有することで、自動販売機の商品格納部１は、複数の種類の商品を格納し、商品表示部２は、商品格納部１が格納する商品のうち一部の種類の商品を表示する。また、ルール記憶部９は、商品表示部２による表示を変更する変更条件と、当該変更条件が満たされた場合に商品表示部２が表示する商品情報とを関連付けて記憶する。また、切替部１０は、ルール記憶部９が記憶する変更条件を満たす場合に、商品表示部２が表示する商品を変更条件に関連付けられた商品情報に変更し、払い出し部は、商品表示部２が表示する商品を、ユーザの操作に応じて商品格納部１から払い出す。
これにより、自動販売機は、設置環境に応じて適切な商品を提供することができる。
【００１７】
次に、本実施形態による自動販売機の動作を説明する。
図６は、自動販売機の動作を示すフローチャートである。
自動販売機が起動すると、計測部８は、環境情報の計測を実行する（ステップＳ１）。本実施形態では、計測部８は、自動販売機周囲の温度、湿度、降雨の有無を計測する。計測部８が環境情報の計測を終了すると、切替部１０は、計測部８から環境情報の計測結果を取得する（ステップＳ２）。また、切替部１０は、タイマ部７から現在の時刻を取得する（ステップＳ３）。
【００１８】
次に、切替部１０は、商品表示部２の各表示ユニットに対して、以下に示すステップＳ５〜Ｓ８の処理を実行する（ステップＳ４）。
まず、切替部１０は、商品情報記憶部３から商品表示部２が表示する商品の商品情報を取得する（ステップＳ５）。次に、切替部１０は、ステップＳ２で取得した環境情報と、ステップＳ３で取得した時刻と、ステップＳ４で取得した商品情報とに基づいて、ルール記憶部９が記憶する複数の表示条件の少なくとも何れか１つを満たすか否かを判定する（ステップＳ６）。
【００１９】
切替部１０は、ルール記憶部９が記憶する複数の表示条件の少なくとも何れか１つを満たすと判定した場合（ステップＳ６：ＹＥＳ）、満たされた表示条件のうち、最も優先順位が高い表示条件に関連付けられた商品名の商品サンプルが、表示ユニットの背面に配置されているか否かを判定する（ステップＳ７）。
切替部１０は、表示条件に関連付けられた商品サンプルが、表示ユニットの背面に配置されていると判定した場合（ステップＳ７：ＹＥＳ）、表示ユニットのモータを駆動させ、利用者に表示させる商品サンプルを切り替える（ステップＳ８）。また、切替部１０は、表示ユニットの回転に合わせ、払い出し部６が払い出す商品を切り替える。払い出す商品の切り替えは、例えば、商品格納部１の格納ユニット（図示せず）を物理的に回転させることで行っても良いし、商品格納部１の格納ユニット（図示せず）の物理的な移動を行わずに、商品選択部４との接続情報のみを電気的に切り替えることで行っても良い。
このとき、切替部１０は、商品情報記憶部３が表示させる商品サンプルを切り替えた表示ユニットのユニットＩＤに関連付けられた表裏フラグを書き換える。
【００２０】
他方、ステップＳ６でルール記憶部９が記憶する複数の表示条件を満たさないと判定した場合（ステップＳ６：ＮＯ）、またはステップＳ７で表示条件に関連付けられた商品サンプルが表示ユニットの背面に配置されていないと判定した場合（ステップＳ７：ＮＯ）、切替部１０は、表示ユニットのモータを駆動させない。
【００２１】
ステップＳ４による繰り返し処理を全ての表示ユニットに対して実行すると、商品選択部４は、利用者から商品表示部に表示された商品の中から購入する商品の選択操作を受け付けたか否かを判定する（ステップＳ９）。具体的には、商品選択部４は、商品表示部２の各表示ユニットの下方に設けられた購入ボタン（図示せず）の押下の有無を判定する。
商品選択部４が選択操作を受け付けたと判定した場合（ステップＳ９：ＹＥＳ）、決済部５は、選択された商品の価格以上の貨幣または紙幣を受け付けたか否かを判定する（ステップＳ１０）。
【００２２】
決済部５は、受け付けた貨幣または紙幣が選択された商品の価格未満であると判定した場合（ステップＳ１０：ＮＯ）、選択された商品の価格以上の貨幣または紙幣を受け付けるまで待機する。
決済部５は、受け付けた貨幣または紙幣が選択された商品の価格以上であると判定した場合（ステップＳ１０：ＹＥＳ）、釣銭を支払い、払い出し部６は、選択された商品を払い出す（ステップＳ１１）。つまり、払い出し部６は、押下された購入ボタンに関連付けられた商品表示部２の表示ユニットの、表面に配置された商品サンプルが示す商品を払い出す。
【００２３】
ステップＳ９で商品選択部４が選択操作を受け付けていないと判定した場合（ステップＳ９：ＮＯ）、またはステップＳ１１で払い出し部６が商品を払い出した場合、履歴登録部１１は、図５に示すように、履歴記憶部１２に、現在時刻における商品の切替履歴及び販売履歴を追加登録する（ステップＳ１２）。履歴記憶部１２が記憶する情報は、別途無線ＬＡＮなどの通信手段を自動販売機に備えることによって、外部のサーバへ送信し、環境に応じた商品提供結果のマーケティングに供することも可能である。
【００２４】
次に、自動販売機は、管理者などによる操作や割り込み処理などにより、外部から処理の終了要求を受け付けたか否かを判定する（ステップＳ１３）。自動販売機は、外部から終了要求を受け付けていないと判定した場合（ステップＳ１３：ＮＯ）、ステップＳ１に戻り、環境情報の計測を実行する。他方、自動販売機は、外部から終了要求を受け付けたと判定した場合（ステップＳ１３：ＹＥＳ）、処理を終了する。
上述した処理により、自動販売機は、時刻や温度、湿度、降雨の有無などの設置環境に応じて適切な商品を提供することができる。
【００２５】
次に、具体的な例を用いて本実施形態による自動販売機の動作を説明する。
まず、時刻が午前１０時、温度が３０℃、湿度が８０％、降雨はなし、という環境における自動販売機の動作を説明する。
切替部１０は、ステップＳ４の繰り返し処理において、まずステップＳ５を実行し、商品情報記憶部３から、ユニットＩＤ「１」に関連付けられた商品名及び表裏フラグを読み出す。図３を参照すると、ユニットＩＤ「１」に関連付けられた商品名及び表裏フラグは、「コーヒー１：表」「炭酸２：裏」である。
【００２６】
次に、切替部１０は、ステップＳ６を実行し、ルール記憶部９が記憶する表示条件を満たすか否かを判定する。図４を参照すると、ユニットＩＤ「１」の表示ユニットは、優先順位「３」に関連付けられた表示条件「気温：３０℃以上、表示：炭酸飲料以外」を満たす。表示条件を満たすため、切替部１０は、ステップＳ７を実行し、表示条件に関連付けられた商品サンプルが背面に配置されているか否かを判定する。このとき、表裏フラグが「裏」を示す商品名は「炭酸２」であるため、切替部１０は、表示条件に関連付けられた商品「炭酸飲料１  ｏｒ  炭酸飲料２」が背面に配置されていると判定する。そのため、切替部１０は、ステップＳ８を実行し、ユニットＩＤ「１」の表示ユニットの表示を切り替える。
【００２７】
次に、切替部１０は、ステップＳ５に戻り、商品情報記憶部３から、ユニットＩＤ「２」に関連付けられた商品名及び表裏フラグを読み出す。図３を参照すると、ユニットＩＤ「２」に関連付けられた商品名及び表裏フラグは、「コーヒー２：表」「傘：裏」である。
次に、切替部１０は、ステップＳ６を実行し、ルール記憶部９が記憶する表示条件を満たすか否かを判定する。図４を参照すると、ユニットＩＤ「２」の表示ユニットは、優先順位「３」に関連付けられた表示条件「気温：３０℃以上、表示：炭酸飲料以外」を満たす。表示条件を満たすため、切替部１０は、ステップＳ７を実行し、表示条件に関連付けられた商品サンプルが背面に配置されているか否かを判定する。このとき、表裏フラグが「裏」を示す商品名は「傘」であるため、切替部１０は、表示条件に関連付けられた商品「炭酸飲料１  ｏｒ  炭酸飲料２」が背面に配置されていないと判定する。そのため、切替部１０は、ユニットＩＤ「２」の表示ユニットの表示を切り替えない。
以降、他の表示ユニットに対しても同様の処理を行う。
【００２８】
次に、時刻が午前１１時１５分、温度が２９℃、湿度が９０％、降雨あり、という環境における自動販売機の動作を説明する。
切替部１０は、ステップＳ４の繰り返し処理において、まずステップＳ５を実行し、商品情報記憶部３から、ユニットＩＤ「１」に関連付けられた商品名及び表裏フラグを読み出す。図３を参照すると、ユニットＩＤ「１」に関連付けられた商品名及び表裏フラグは、「コーヒー１：表」「炭酸２：裏」である。
【００２９】
次に、切替部１０は、ステップＳ６を実行し、ルール記憶部９が記憶する表示条件を満たすか否かを判定する。図４を参照すると、ユニットＩＤ「１」の表示ユニットは、優先順位「１」に関連付けられた表示条件「天候：雨、表示：傘以外」を満たす。表示条件を満たすため、切替部１０は、ステップＳ７を実行し、表示条件に関連付けられた商品サンプルが背面に配置されているか否かを判定する。このとき、表裏フラグが「裏」を示す商品名は「炭酸２」であるため、切替部１０は、表示条件に関連付けられた商品「傘」が背面に配置されていないと判定する。そのため、切替部１０は、ユニットＩＤ「１」の表示ユニットの表示を切り替えない。
【００３０】
次に、切替部１０は、ステップＳ５に戻り、商品情報記憶部３から、ユニットＩＤ「２」に関連付けられた商品名及び表裏フラグを読み出す。図３を参照すると、ユニットＩＤ「２」に関連付けられた商品名及び表裏フラグは、「コーヒー２：表」「傘：裏」である。
次に、切替部１０は、ステップＳ６を実行し、ルール記憶部９が記憶する表示条件を満たすか否かを判定する。図４を参照すると、ユニットＩＤ「２」の表示ユニットは、優先順位「１」に関連付けられた表示条件「天候：雨、表示：傘以外」を満たす。表示条件を満たすため、切替部１０は、ステップＳ７を実行し、表示条件に関連付けられた商品サンプルが背面に配置されているか否かを判定する。このとき、表裏フラグが「裏」を示す商品名は「傘」であるため、切替部１０は、表示条件に関連付けられた商品「傘」が背面に配置されていると判定する。そのため、切替部１０は、ステップＳ８を実行し、ユニットＩＤ「２」の表示ユニットの表示を切り替える。
以降、他の表示ユニットに対しても同様の処理を行う。
【００３１】
このように、本実施形態によれば、タイマ部７、計測部８による環境情報の計測結果とルール記憶部９が記憶する表示ルールとに基づいて、切替部１０が商品表示部２に表示させる商品サンプルを切り替える。これにより、自動販売機は、設置環境に応じて適切な商品を提供することができ、また設置環境に応じた商品の動的な入れ替えができ、さらに自動販売機管理者の商品入れ替えコストを低減することができる。
【００３２】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、商品表示部２が図２に示す構造を有する場合を説明したが、これに限られない。例えば、商品表示部２の表示ユニットは、回転自在でなく、上下に切り替わる装置形状であっても良いし、また、商品表示部２が液晶画面などのディスプレイを備え、当該ディスプレイに商品を表示するものであっても良い。
【００３３】
また、本実施形態では、環境情報として時刻、温度、湿度、及び降雨の有無を用いたが、これに限られず、他の環境情報を用いても良い。例えば、環境情報として、曜日、風速などを用いても良い。
【００３４】
上述の自動販売機は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３５】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３６】
１…商品格納部  ２…商品表示部  ３…商品情報記憶部  ４…商品選択部  ５…決済部  ６…払い出し部  ７…タイマ部  ８…計測部  ９…ルール記憶部  １０…切替部  １１…履歴登録部  １２…履歴記憶部
【図１】
2011145936.tif 000003
【図２】
2011145936.tif 000004
【図３】
2011145936.tif 000005
【図４】
2011145936.tif 000006
【図５】
2011145936.tif 000007
【図６】
2011145936.tif 000008